(57)【要約】      （修正有）【課題】餌や釣り針にかかった魚が外れてしまうことを抑制することができる釣り針を提供する。【解決手段】軸部２の針先よりも後方側に凹凸をなす外れ止め部１０が前後方向に複数設けられた釣り針である。外れ止め部１０は、平坦面１３と、外れ止め面１２と、外れ止め面よりも緩やかな傾斜の緩斜面１１との三つの面を備えている。平坦面１２は、釣り針の中心軸に対してほぼ平行な面である。外れ止め面１２は、平坦面の前端１４から外方向に向けて立ち上がっている面である。緩斜面は、外れ止め面の外端１５と、その前に配置された外れ止め部の平坦面の後端１６との間に設けられた面である。緩斜面１１と中心軸とがなす角度θ１は、外れ止め面１２と中心軸とがなす角度θ２よりも小さい。【選択図】図２
0003230635.tif 000002
【実用新案登録請求の範囲】
【請求項１】
軸部の針先よりも後方側に凹凸をなす外れ止め部が前後方向に複数設けられた釣り針において、
前記外れ止め部は、平坦面と、外れ止め面と、前記外れ止め面よりも緩やかな傾斜の緩斜面との三つの面を備えており、
前記平坦面は、釣り針の中心軸に対してほぼ平行な面であり、
前記外れ止め面は、前記平坦面の前端から外方向に向けて立ち上がっている面であり、
前記緩斜面は、前記外れ止め面の外端と、当該外れ止め部の前に配置された前記外れ止め部の前記平坦面の後端との間に設けられた面であり、
前記緩斜面と前記中心軸とがなす角度は、前記外れ止め面と前記中心軸とがなす角度よりも小さいことを特徴とする釣り針。
【請求項２】
前記平坦面の前記中心軸方向への長さが、前記外れ止め面の前記中心軸方向への長さと前記緩斜面の前記中心軸方向への長さの和よりも長いことを特徴とする請求項１に記載の釣り針。
【請求項３】
前記外れ止め部は釣り針の左右両側にそれぞれ複数並べて配置されており、
左右両側の前記外れ止め部は、前記中心軸方向において同じ位置に配置されていることを特徴とする請求項１または２に記載の釣り針。
【請求項４】
前記釣り針は３本針である請求項１ないし請求項３のいずれかに記載の釣り針。
【考案の詳細な説明】
【技術分野】
【０００１】
本考案は釣り針に関するものである。
【背景技術】
【０００２】
餌やかかった魚が外れにくくするために、針先よりも後方側に凹凸をなす外れ止め部が前後方向に複数設けられた釣り針については、特許文献１と２に示すものが知られている。
特許文献１には、釣り針の軸部の外側表面に溝状の凹凸が複数形成されたものが開示されている。
特許文献２には、軸部の長手方向に配列された複数の凹部を有する凹凸配列部を表面の少なくとも２箇所に備え、一方の凹凸配列部は、他方の凹凸配列部の反対側に位置するものであって、両凹凸配列部は、互いの凹部の位置を、線材の長手方向について、異なるものとし、これにて、両凹凸配列部の凹部が線材長手方向について位置を同じにした場合に比べて、線材の横断面の極端な低下による強度の低下を抑制した釣り針が開示されている。
これらの文献には様々な凹凸の形状が開示されているが、その何の凹凸の形状にあっても、餌を凹凸によって止める際に餌に引っかかる外れ止め面と、凹凸を構成する他の面との関係について、改良の余地を残すものであった。
【先行技術文献】
【特許文献】
【０００３】
【特許文献１】登録実用新案第３０５６５６１号公報
【特許文献２】特開２００４−１２９６４５号公報
【考案の概要】
【考案が解決しようとする課題】
【０００４】
本考案は、餌やかかった魚を凹凸によって止める際に餌に引っかかる外れ止め面と、凹凸を構成する他の面との関係について、新たな構造を備えた釣り針の提供を図ることにある。
【課題を解決するための手段】
【０００５】
本考案は、針先よりも後方側に凹凸をなす外れ止め部が前後方向に複数設けられた釣り針において、次の手段を備えたものを提供する。
本考案に係る釣り針にあって、前記外れ止め部は、平坦面と、外れ止め面と、前記外れ止め面よりも緩やかな傾斜の緩斜面との三つの面を備えている。
前記平坦面は、釣り針の中心軸に対してほぼ平行な面である。
前記外れ止め面は、前記平坦面の前端（当該平坦面における釣り先側の終端）から外方向（中心軸から離れる方向）に向けて立ち上がっている面である。
前記緩斜面は、前記外れ止め面の外端と、当該外れ止め部の前に配置された前記外れ止め部の前記平坦面の後端との間に設けられた面である。
前記緩斜面と前記中心軸とがなす角度は、前記外れ止め面と前記中心軸とがなす角度よりも小さいものである。
本考案の実施に際しては、前記平坦面の前記中心軸方向への長さが、前記外れ止め面の前後方向（すなわち前記中心軸方向）への長さと前記緩斜面の前記中心軸方向への長さの和よりも長いものとすることができる。
また、前記外れ止め部は釣り針の左右両側にそれぞれ複数並べて配置されており、左右両側の前記外れ止め部は、前記中心軸方向において同じ位置に配置することもできるし、異なる位置に配置することもできる。
前記釣り針は３本針として実施することができる。
【考案の効果】
【０００６】
本考案は、餌やかかった魚餌を凹凸によって止める際に餌に引っかかる外れ止め面と、凹凸を構成する他の面との関係について、新たな構造を備えた釣り針を提供することができたものである。
この新たな構造によって、凹凸加工時の加工精度や加工効率の向上を図ることができる。
また、この新たな構造によって、外れ止め面を餌に対してより確実に作用させることができるものである。
本考案を実施することで、餌や釣り針にかかった魚が外れてしまうことを抑制することもできる。
【図面の簡単な説明】
【０００７】
【図１】本考案の実施の形態に係る釣り針の正面図。
【図２】同釣り針の要部拡大断面図。
【考案を実施するための形態】
【０００８】
以下、図面を参照して本考案の実施の形態を説明する
（釣り針の概要）
この実施の形態に係る釣り針は、先端に針先１を備えた１本の軸部２を備えたもので、軸部２の後端にはチモト３が設けられている。針先１には、かえしを設けても構わないし、返しのないスレで実施しても構わない。軸部２は、先曲げ、腰曲げ、胴など各部の部位を区別して呼ばれることもあるが、本考案においてはこれらを区別せずに軸部２と呼ぶ。また、軸部２の断面形状は、楕円形状、円形状、多角形状など、種々の形状で実施することができる。
チモト３の形状についても、Ｔ字型の撞木やリング状の管付（アイ）など、様々な形状のものを採用することができる。
図では、１本針として実施されているが、餌をつける軸部を備えたものであれば３本針など様々な形態で実施することができる。
【０００９】
（外れ止め部１０）
この実施の形態に係る釣り針では、軸部２に外れ止め部１０がプレス加工によって形成されている。
この例では、先端寄りと後端寄りの軸部２の２箇所に外れ止め部１０が形成されているが、軸部２の全体に設けるなど、変更して実施しても構わない。
それぞれの外れ止め部１０は図２に示すように、複数（この例では３個）が前後方向に並べて形成されている。なお、軸部２の中心軸の伸びる方向において、針先１に近い方を前（図２の矢印方向）とし、チモト３に近い方を後ろとして説明する。
それぞれの外れ止め部１０は、前から後ろにかけて、緩斜面１１、外れ止め面１２、平坦面１３の３つの面を備えている。各面はプレス加工によって平滑な面に加工されているが多少の凹凸はあっても構わない。
またこの例では、外れ止め部１０は釣り針の左右両側に設けて実施しているが、一方に設けるだけでも構わない。左右の外れ止め部１０は、軸部１の中心軸方向において同じ位置に配置されているが、異なる位置に設けても構わない。
さらにまた、軸部２の先端寄りと後端寄りとの２箇所に外れ止め部１０を形成したが、軸部２の全体に設けるなど、変更して実施しても構わない
【００１０】
（平坦面１３について）
平坦面１３は、釣り針の中心軸に対してほぼ平行な面であるが、中心軸に対して多少傾斜していても構わない
【００１１】
（外れ止め面１２について）
外れ止め面１２は、平坦面１３の前端１４から外方向（中心軸から遠ざかる方向）に向けて立ち上がっている面である。
この外れ止め面１２は餌（図示せず）が、前方へ抜けようとする時に引っかかる面であり、その傾斜角度θ２は、７０〜９０度が適当であるが、外方向に向かうにしたがって急峻となるように、角度が途中で変化するものであっても構わない。
【００１２】
（緩斜面１１について）
緩斜面１１は、外れ止め面１２の外端１５（中心軸から最も離れた端部）から、前方に向かうに従って中心軸に徐々に近づくように緩やかに傾斜した面であり、その前に配置された外れ止め部１０の平坦面１３の後端１６に繋がるものである。
この緩斜面１１は、前方の針先１から餌を通していく時に、スムーズに餌を通すことができるようにするため、その傾斜角度θ１は、外れ止め面１２の傾斜角度θ２よりも小さく、５〜３０度が適当であるが、前方に向かうにしたがって緩やかな傾斜となるように、角度が途中で変化するものであっても構わない。
なお、上記の傾斜角度θ１と傾斜角度θ２は、何れも中心軸に対する緩斜面１１と外れ止め面１２とがなす角度を言うが、図２では平坦面１３が中心軸に対して平行であるとして、平坦面１３に対する角度を図示している。
【００１３】
（各面の前後方向の長さ等）
各面の前後方向の長さは、釣り針の大きさなどによって種々変更して実施することができるが、平坦面１３の長さが、緩斜面１１の長さと外れ止め面１２の長さとの和よりも長いものとすることが好ましい。
【００１４】
（餌との関係）
餌や魚が前方へ抜けようとする時、急峻な外れ止め面１２が餌やかかった魚に食い込むようにすることによって、餌等の抜けを抑制することができる。
その際、例えば外れ止め面１２のすぐ後ろに緩斜面１１があると、その斜面の分だけ、外れ止め面１２の後ろに位置する餌等が少なくなったり、餌等が浮き上がり気味になったりする恐れがあるが、この実施の形態では、外れ止め面１２のすぐ後ろに平坦面１３が設けられているため、外れ止め面１２の後ろに位置する餌等を多くすることができる。また外れ止め面１２の基部まで餌等が位置するため、餌等餌の浮き上がりを抑制することができるし、かかった魚が外れてしまうことを抑制することができる。
またプレス加工など金型による鍛造の加工精度を考慮した場合、平坦面１３から外れ止め面１２が立ち上がっている形状とする方が、外れ止め面１２と平坦面１３の面を明確なものとして加工しやすい。よって、設計の意図通りの加工を施しやすく、金型の摩耗による加工精度の低下による悪影響を抑制することができる。
他方、例えば凹凸の凸部を台形状にするなど、外れ止め面１２の外端１５から前方へ伸びる平坦面（中心軸に対して平行な面）を設けた場合には、餌等がその平坦面に乗り上げたようになってしまい、緩斜面１１による餌等の引っかかりの効果が少なくなってしまう恐れがあるが、この実施の形態では外れ止め面１２の外端１５からは緩斜面１１が前方へ伸びるため、餌等の乗り上げを抑制することができる。
このように本考案は、餌や魚を凹凸によって止める際に餌等に引っかかる外れ止め面と、凹凸を構成する他の面との関係について、新たな構造を備えた釣り針を提供することができたものであり、本考案の趣旨を逸脱しない範囲で種々変更して実施することができる。
【符号の説明】
【００１５】
１  針先
２  軸部
３  チモト
１０  外れ止め部
１１  緩斜面
１２  外れ止め面
１３  平坦面
１４  平坦面の前端
１５  外れ止め面の外端
１６  平坦面の後端
θ１  緩斜面の傾斜角度
θ２  外れ止め面の傾斜角度
【図１】
0003230635.tif 000003
【図２】
0003230635.tif 000004